(57)【要約】【課題】漆塗装品としての風合いを長期間に亘って保持できながら、表示板としての機能を有効に発揮し得る、発光ダイオードを具備した表示板を提供する。【解決手段】基板２の一面側を表示面３とし、表示面３に、紫外線を発生しない色違いの２個の発光ダイオード５，５を配設する。表示面３は、基板２の一面に、マイナスイオン生成作用を有するセラミックの粉末が混入された塗料を下塗りし、その上に、セラミックの粉末が混入されていない漆塗料を上塗りし、上塗り層によって、平滑な表示面３を形成する。そして、上下の発光ダイオード５，５のＯＮ、ＯＦＦによって、在、不在を表示する。【選択図】　　　　図１
0003097380.tif 000002
【実用新案登録請求の範囲】
【請求項１】
基板の一面に漆塗料を塗装することによって表示面を形成し、該表示面に、紫外線を発生しない発光ダイオードを配設したことを特徴とする表示板。
【請求項２】
前記発光ダイオードのＯＮ、ＯＦＦによって表示事項を示すことを特徴とする請求項１記載の表示板。
【請求項３】
基板の一面に漆塗料を塗装することによって表示面を形成し、該表示面に、紫外線を発生しない色違いの発光ダイオードを配設し、何れかの発光ダイオードの点灯によって表示事項を示すことを特徴とする表示板。
【請求項４】
基板の一面に漆塗料を塗装し、形成された塗装面に、紫外線を発生しない発光ダイオードを配設したことを特徴とする照明器具。
【請求項５】
基板の一面に、漆塗料による塗装層と、マイナスイオン生成作用を有するセラミックの粉末が混入された塗料による塗装層とが重ねられることによって前記表示面が形成されていることを特徴とする請求項１、２又は３記載の表示板。
【請求項６】
マイナスイオン生成作用を有するセラミックの粉末が混入された塗料が前記基板の一面に下塗りされ、且つその上に、該セラミックの粉末が混入されていない漆塗料が塗装されることによって前記表示面が形成されていることを特徴とする請求項１、２又は３記載の表示板。
【請求項７】
基板の一面に、漆塗料による塗装層と、マイナスイオン生成作用を有するセラミックの粉末が混入された塗料による塗装層とを重ねて塗装面を形成し、該塗装面に、紫外線を発生しない発光ダイオードを配設したことを特徴とする照明器具。
【請求項８】
マイナスイオン生成作用を有するセラミックの粉末が混入された塗料が基板の一面に下塗りされ、且つその上に、該セラミックの粉末が混入されていない漆塗料が塗装されることによって形成された塗装面に、紫外線を発生しない発光ダイオードを配設したことを特徴とする照明器具。
【考案の詳細な説明】
【０００１】
【考案の属する技術分野】
本考案は、発光ダイオードを具備する表示板に関するものであり、又、発光ダイオードを具備する照明器具に関するものである。
【０００２】
【従来の技術】
漆塗装が施された物品は、塗装面に光沢と潤いを有し、又、耐水性や耐薬品性に優れる等の各種の利点を有する反面、その塗膜は紫外線と熱に弱く、これらの影響を受けて退色し、漆塗装本来の装飾性が減殺される欠点があった。なお該漆塗装は、天然漆塗料を用いて行われることの他、天然漆を含んだ合成漆塗料を用いて行われることもあるが、合成漆塗料を用いて塗装を行った場合も、天然漆が含まれていることから、塗装面の退色が避けられなかったのである。
【０００３】
そのため、漆塗装の前記利点に着眼して、漆塗装された板体を用いて表示板や照明器具を構成した場合、次のような問題点があった。即ち、在室や不在室を表示したり、会議室の使用や不使用を表示するために、蛍光灯や白熱灯等の光源を該板体に固定したときは、光源が発生する紫外線の影響や発熱の影響を受けて漆塗装面が退色し、漆塗装本来の利点が減殺されてしまう問題があったのである。特に照明器具にあっては、発生する紫外線量が多く、又発熱量も多いことから、かかる退色がより一層生じ易かったのである。
【０００４】
【考案が解決しようとする課題】
本考案は、かかる漆塗装品の長所と短所に鑑みて開発されたものであり、漆塗装品としての風合いを長期間に亘って保持できながら、表示板としての機能を有効に発揮できる、発光ダイオードを具備する表示板の提供を課題とするものであり、又、照明器具としての機能を有効に発揮できる、発光ダイオードを具備する照明器具の提供を課題とするものである。
【０００５】
更に進んで、漆塗装面に汚れが付着しにくく、又、該漆塗装面周辺の臭いを低減させ得る表示板や照明器具の提供を課題とするものである。
【０００６】
【課題を解決するための手段】
前記課題を解決するため、本考案は以下の手段を採用する。
即ち本考案に係る発光ダイオードを具備する表示板は、基板の一面に漆塗料を塗装することによって表示面を形成し、該表示面に、紫外線を発生しない発光ダイオードを配設したことを特徴とするものである。この場合、該発光ダイオードのＯＮ、ＯＦＦによって表示事項を示すように構成できる。
【０００７】
本考案に係る発光ダイオードを具備する表示板のより具体的な態様は、基板の一面に漆塗料を塗装することによって表示面を形成し、該表示面に、紫外線を発生しない色違いの発光ダイオードを配設し、何れかの発光ダイオードの点灯によって表示事項を示すことを特徴とするものである。
【０００８】
又、本考案に係る発光ダイオードを具備する照明器具は、基板の一面に漆塗料を塗装し、形成された塗装面に、紫外線を発生しない発光ダイオードを配設したことを特徴とするものである。
【０００９】
前記各表示板において、基板の一面に、漆塗料による塗装層と、マイナスイオン生成作用を有するセラミックの粉末が混入された塗料による塗装層とを重ねて前記表示面を形成するのがよい。
【００１０】
又前記各表示板において、マイナスイオン生成作用を有するセラミックの粉末が混入された塗料を前記基板の一面に下塗りし、且つその上に、該セラミックの粉末が混入されていない漆塗料を塗装することによって前記表示面を形成するのがよい。
【００１１】
本考案に係る照明器具のより好ましい態様は、基板の一面に、漆塗料による塗装層と、マイナスイオン生成作用を有するセラミックの粉末が混入された塗料による塗装層とを重ねて塗装面を形成し、該塗装面に、紫外線を発生しない発光ダイオードを配設したことを特徴とするものである。
【００１２】
本考案に係る照明器具のより好ましい他の態様は、マイナスイオン生成作用を有するセラミックの粉末が混入された塗料を基板の一面に下塗りし、且つその上に、該セラミックの粉末が混入されていない漆塗料を塗装することによって塗装面を形成し、該塗装面に、紫外線を発生しない発光ダイオードを配設したことを特徴とするものである。
【００１３】
【考案の実施の形態】
以下、本考案の実施の形態を図面に基づいて説明する。
図１において、本考案に係る発光ダイオードを具備する表示板（以下表示板という）１は、例えば、社長室の在、不在を表示するために用いられる表示板である。該表示板１は、基板２の一面側が表示面３とされ、該表示面３に、紫外線を発生しない色違いの２個の発光ダイオード５，５、例えば赤色発光ダイオード５ａと青色発光ダイオード５ｂが配設されている。
【００１４】
前記表示面３は、図２に示すように、マイナスイオン生成作用を有するセラミックの粉末４が混入された塗料（例えば漆塗料）を前記基板２の表面２ａに下塗りし、これを乾燥させて下塗り層６を形成して後、その上に、該セラミックの粉末が混入されていない漆塗料を上塗りして上塗り層７を形成し、該上塗り層７によって、平滑な表示面３が形成されている。該セラミックとしては、例えば、株式会社エコホリスティック社製の商品名「マイナスイオンセラミック」を用い、その粉末のメッシュは、１〜６μ程度のものを用いるのがよい。
【００１５】
そして、該表示面２の例えば下部には、図１に示すように、「社長室」の文字９が印刷されると共に、該文字の左側の上下に、前記発光ダイオード５ａ，５ｂが、その樹脂カバー１０を稍突出させて配設されている。
【００１６】
又、前記基板２の裏面側の下部には、図３に示すように、リード線１１を介して前記発光ダイオード５ａ，５ｂに電力を供給する電池１２を収容する電池ボックス１３が設けられている。又、該基板２の裏面側の上部には、図３〜６に示すように、壁面１５に突設された係止突部１６と掛着し得る係止部１７が設けられている。なお、前記上下の発光ダイオード５ａ，５ｂのＯＮ、ＯＦＦは、例えばリモコン操作によって行うことができる。
【００１７】
かかる構成を有する表示板２は、前記発光ダイオード５ａ，５ｂが紫外線を発生せず、又発熱もしないために、在、不在の表示機能を発揮できながら、漆塗装によって形成された表示面２が退色しにくく、漆本来の、光沢のある優しい風合いが持続される。
【００１８】
又前記表示面２は、マイナスイオン生成作用を有するセラミックの粉末４が混入された塗料によって下塗りされているため、該セラミックからの放射線によって空気中に生成されたマイナスイオンによる静電気発生抑制作用によって表示面２への汚れの付着を軽減できると共に、該表示面２周辺の臭い軽減を図ることもできる。
【００１９】
又図７〜８、図９は、本考案に係る照明器具１９の一実施例を示すものであり、マイナスイオン生成作用を有するセラミックの粉末４が混入された塗料（例えば漆塗料）を基板２０の表面２０ａに下塗りし、これを乾燥させて下塗り層６を形成して後、その上に、該セラミックの粉末が混入されていない漆塗料を上塗りして上塗り層７を形成し、該上塗り層７によって、平滑な塗装面２１が形成されている。なお該セラミックの粉末としては、前記と同様のものを用いる。そして該基板２０の塗装面２１に露出状態に、紫外線を発生しない発光ダイオード（例えば高輝度白色発光ダイオード）５が集合状態に設けられている。図７の照明器具にあっては、発光ダイオード５が円形に集合されており、又図８の照明器具にあっては、例えば１０〜３０ｃｍの長さを有する線状に集合されている。
【００２０】
かかる構成の照明器具１９によるときは、前記発光ダイオード５が紫外線を発生せず、又発熱もしないために、照明器具としての機能を発揮できながら、漆塗装面２１は退色しにくく、漆本来の、光沢のある優しい風合いが持続される。
【００２１】
又前記塗装面２１は、マイナスイオン放出作用を有するセラミックの粉末が混入された塗料によって下塗りされているため、前記と同様にして、生成されたマイナスイオンによる静電気発生抑制作用によって塗装面２１への汚れの付着を軽減できると共に、該塗装面２１周辺の臭い軽減を図ることもできる。
【００２２】
〔その他の実施の形態〕
本考案は、前記実施の形態で示したものに限定されるものでは決してなく、「実用新案登録請求の範囲」の記載内で種々の設計変更が可能であることはいうまでもない。その一例を挙げれば次のようである。
【００２３】
（１）　マイナスイオン生成作用を有するセラミックの粉末が混入された塗料には、漆塗料の他、ウレタン樹脂塗料等の合成樹脂塗料がある。又この塗料には、トルマリンの粉末が併せて混入されることもある。
又漆塗料は、天然漆１００％の塗料の他、天然漆が含有された合成漆塗料であってもよい。
【００２４】
（２）　基板の一面に表示面２を形成する際、該表示面２の風合い向上を目的として、漆塗料による塗装層が複数層に形成されることがある。このことは、照明器具を構成する基板の一面に漆塗装を施す場合も同様である。
これらの場合、マイナスイオン生成作用を有するセラミックの粉末が混入された塗料による塗装層は、外表面には形成しないのが好ましいが、外表面に形成してもよい。
【００２５】
（３）　本考案に係る表示板は、例えば、ホテルや旅館の部屋名等を示す表示板として構成されることもある。図１０、図１１〜１２はその一例を示すものである。図１０に示す表示板１は、紫外線を発生しない発光ダイオード５が、前記と同様に形成された基板２の表示面３に露出状態で、「松竹」の各文字を構成するように配設され、該発光ダイオード５の点灯によって「松竹」の文字が電光表示されるようになされている。又図１１〜１２に示す表示板１は、前記と同様に形成された基板２のうち、「松竹」の各文字部分２２が半透明に形成され、該半透明部分の裏側に、紫外線を発生しない発光ダイオード５を配設し、該発光ダイオード５の点灯によって「松竹」の文字が浮かび上がるようになされている。
【００２６】
（４）　本考案において、表示面３に発光ダイオード５を配設するとは、発光ダイオード５を、該表示面３に露出状態に配設することの他、例えば図１２に示すように、半透明部分又は透明部分でカバーされた状態で配設することもある。
【００２７】
（５）　前記照明器具は、従来の蛍光灯の代用として応用されることの他、常夜灯等、各種の照明器具として応用され得る。
【００２８】
（６）　表示板の表面に文字や図形、記号を表す場合、該文字や図形を、マイナスイオン生成作用を有するセラミックの粉末が混入された塗料を用いて表すこともある。
【００２９】
（７）　又、前記表示板や照明器具において、基板の一面に形成される漆塗装部分は、基板の全体に設けられることの他、その一部分のみに設けられることもある。
該漆塗装部分は、表示板の表面に例えば文字や図形、記号を表す場合、その文字や図形、記号部分を除いた周辺部分に形成されることがある他、文字や図形、記号部分だけに形成されることもある。又、照明器具にあっては、発光ダイオードを配置する部分を除いてその周辺に設定されることがある。
【００３０】
（８）　マイナスイオン生成作用を有するセラミックの粉末が混入された塗料を塗装する場合、この塗装を、汚れの付着軽減が望まれる特定された部分にのみ形成することがある。例えば、前記実施の形態で示した表示板に付された「社長室」の文字部分の汚れ付着を軽減するために、この文字のみを、該セラミックの粉末が混入された塗料を用いて表わす場合を挙げることができる。
【００３１】
（９）　発光ダイオードによる表示内容には、会議室等の部屋の使用、不使用の状態や、ファン回転のＯＮ、ＯＦＦの状態、機器作動のＯＮ、ＯＦＦの状態等、各種のものがある。そしてこれらは、一個の発光ダイオードのＯＮ、ＯＦＦによって表示することもできる。又、前記発光ダイオードへの電力の供給は、電池を用いて行うことの他、家庭用電源から行ってもよい。
【００３２】
（１０）前記基板２や前記基板２０は、プラスチック製の他、木製、陶磁器製、金属製等であってもよい。
【００３３】
【考案の効果】
本考案に係る表示板及び照明器具によるときは、少ない消費電力で表示機能や照明機能を有効に発揮できるのは元より、配設されている発光ダイオードが紫外線を発生せず又発熱もしないため、基板に形成した漆塗装面が退色するのを防止でき、従って、光沢があって風合いの優しい漆塗装面の塗装状態を長期間に亘って維持できることになる。
特に、マイナスイオン生成作用を有するセラミックの粉末が混入されてなる塗料による塗装層が基板に形成される場合、例えば、この塗料を基板の一面に下塗りし、その上に、該粉末が混入されていない漆塗料を塗装する場合は、該セラミックのマイナスイオン生成作用によって、塗装面の汚れ付着を軽減し得ると共に、該塗装部分周辺の臭気を軽減し得る。
【図面の簡単な説明】
【図１】本考案に係る表示板をその使用状態で示す斜視図である。
【図２】基板に設けた表示面の構成を説明する断面図である。
【図３】基板の裏面側を示す斜視図である。
【図４】本考案に係る表示板の壁面への取付手段を説明する斜視図である。
【図５】本考案に係る表示板の壁面への取付手段を説明する斜視図である。
【図６】本考案に係る表示板を壁面に取り付けた状態を示す断面図である。
【図７】本考案に係る照明器具を示す断面図である。
【図８】本考案に係る照明器具の他の態様を示す斜視図である。
【図９】その照明器具を構成する基板を説明する断面図である。
【図１０】表示板の他の態様を示す正面図である。
【図１１】表示板のその他の態様を示す部分正面図である。
【図１２】表示板のその他の態様を示す断面図である。
【符号の説明】
１　表示板
２　基板
３　表示面
５　発光ダイオード
６　下塗り層
７　上塗り層
１９　照明器具
２０　基板
２１　塗装面
【図１】
0003097380.tif 000003
【図２】
0003097380.tif 000004
【図３】
0003097380.tif 000005
【図４】
0003097380.tif 000006
【図５】
0003097380.tif 000007
【図６】
0003097380.tif 000008
【図７】
0003097380.tif 000009
【図８】
0003097380.tif 000010
【図９】
0003097380.tif 000011
【図１０】
0003097380.tif 000012
【図１１】
0003097380.tif 000013
【図１２】
0003097380.tif 000014